(57)【要約】【課題】光ディスクの回転速度に依存せずに書き換えを行うことができ、さらにはビット単位やバイト単位といった小さな単位での書き換えを可能にする。【解決手段】従来の光ディスク記録媒体の記録層を、従来の光ディスクのピットを表現できるだけの微細な解像度と薄さを持つ電子ペーパー等の表示デバイスで置き換えた構造にする。これを搭載した光ディスク記録装置においては、記録すべき情報を光ディスクの光反射層に関する規格を満足する画像に変換する情報変換手段と、この情報変換手段により変換された画像を１画素単位で光ディスク記録媒体に書き込むことが可能な情報記録手段とを備える。【選択図】  図２
2006294147.tif 000002
【特許請求の範囲】
【請求項１】
光ディスクの記録層を電気的に書き換え可能な表示デバイスで置き換えた構造を有する光ディスク記録媒体。
【請求項２】
前記表示デバイスは光ディスクの光反射層に関する規格を満足する画像を形成することが可能な画素密度を有する請求項１記載の光ディスク記録媒体。
【請求項３】
請求項２記載の光ディスク記録媒体に対する光ディスク記録装置であって、記録すべき情報を光ディスクの光反射層に関する規格を満足する画像に変換する情報変換手段と、前記情報変換手段により変換された画像を前記光ディスク記録媒体に書き込む情報記録手段と、を備える光ディスク記録装置。
【請求項４】
前記情報記録手段は情報を１画素単位で前記光ディスク記録媒体に書き込むことが可能な請求項３記載の光ディスク記録装置。
【発明の詳細な説明】
【技術分野】
【０００１】
本発明は光ディスクの記録方式に関し、特に光ディスクの回転速度の限界に依存せず、記録速度を高速化することができる光ディスク記録媒体および記録装置に関する。
【背景技術】
【０００２】
光ディスクはデータの読み書きにレーザ光を利用する記録媒体であり、最初に開発されたＣＤは安価で大容量なことから音楽やソフトウェアの流通に使用され、広く普及した。当初は読み取り専用の規格のみであったが、追記あるいは書き換え可能な製品が登場したことで適用範囲が広がり、さらにはデータの記録密度を飛躍的に高めたＤＶＤが開発され、映像記録媒体として普及している。
【０００３】
図１は、このような従来の光ディスクにおける情報の記録方法を説明する図である。図１において、読み出し専用の光ディスク１０１では記録面１０２にピット１０３と呼ばれる溝が螺旋状に配置されている。記録面に向けてレーザ１０４を照射し、ディスクを回転させてピットを螺旋状に走査し、得られる反射光の光量を電気信号に変換することにより、記録されている情報を読み出す（例えば、非特許文献１参照）。
【０００４】
書き換え可能な光ディスクでは、記録層にレーザ光を当てて熱し、再冷却を行うことによって記録を行う相変化方式の光ディスクが主流である。レーザを強く照射して急速に冷却すると記録層の結晶が解けた非結晶（アモルファス）状態で安定し、レーザを弱めに照射して緩やかに冷却すると記録層の結晶は再構成される。結晶相は非結晶相に比べて光の反射率が高いため、これを利用して信号を記録する。
【０００５】
情報を記録する際は、光ディスクを回転させて螺旋状に記録面にレーザを照射し、読み出し専用光ディスクのピットと同様の反射光量が得られるように記録面を相変化させる。また、情報の消去を行う際は、記録時と同様に光ディスクを回転させて螺旋状にレーザを照射し、読み出し専用光ディスクの未記録状態と同様の反射光量が得られるように記録面を相変化させる。
【０００６】
相変化方式の光ディスクは読み出し専用光ディスクと同様の方法で読み取ることが可能なため、互換性のあるドライブが容易に提供できるという利点がある。しかし、書き込みや消去の時間は光ディスクの回転速度に依存し、回転速度を上げると相変化形成が不十分になるという問題が生じる。これに対して、追記可能な光ディスクを高速回転させて書き換えを行う技術が特許文献１に開示されている。
【０００７】
他方、繰り返し書き換えが可能な高解像度の画像形成技術として、いわゆる電子ペーパーが実用化に向けて研究されている（例えば、特許文献２および特許文献３参照）。その用途としては、メモリー性のある書き換え可能な掲示板、看板、点滅標識、電子新聞、電子書籍、複写機やプリンタと共用可能なテンポラリーシートなど多種多様な商品形態が考えられている。
【特許文献１】特開平４−３５３６２８号公報
【特許文献２】特開２００１−３１２２２５号公報
【特許文献３】特開２００４−１６５９７８号公報
【非特許文献１】ＪＩＳ  Ｘ  ６２８１規格
【発明の開示】
【発明が解決しようとする課題】
【０００８】
従来の記録型光ディスクの書き換え時においては、螺旋状にピットもしくは等価な反射光量が得られるような相変化を形成するために、光ディスクを高速回転させて記録面を書き換えている。記録速度は光ディスクの可能な回転速度に依存しているため、全体の書き込みや消去を行うには時間がかかっていた。また、ビット単位やバイト単位といった小さな単位での書き換えは不可能であった。
【０００９】
本発明は、光ディスクの回転速度に依存せずに書き換えを行うことができ、さらにはビット単位やバイト単位といった小さな単位での書き換えを可能にする光ディスク記録媒体および記録装置を提供することを目的とする。
【課題を解決するための手段】
【００１０】
第１の光ディスク記録媒体は、ＪＩＳ  Ｘ  ６２８１規格等に規定される光ディスクの記録層を電気的に書き換え可能な表示デバイスで置き換えた構造を有する。
【００１１】
第２の光ディスク記録媒体は、第1の光ディスク記録媒体において、前記表示デバイスはＪＩＳ  Ｘ  ６２８１規格等に規定される光ディスクの光反射層に関する規格を満足する画像を形成することが可能な画素密度を有する。
【００１２】
上記構成によれば、記録層が電気的に書き換え可能な表示デバイスであることから、光ディスクを回転させずに情報を記録することができるため、光ディスクの回転速度の限界に依存せず、記録速度を高速化することができる。
【００１３】
第1の光ディスク記録装置は、記録すべき情報をＪＩＳ  Ｘ  ６２８１規格等に規定される光ディスクの光反射層に関する規格を満足する画像に変換する情報変換手段と、前記情報変換手段により変換された画像を前記光ディスク記録媒体に書き込む情報記録手段と、を備える。
【００１４】
上記構成によれば、記録層に電気的に書き換え可能な表示デバイスを用いた光ディスク記録媒体に対して、従来の光ディスクと互換性のある情報記録を行うことができるため、従来の光ディスク読み出し装置で本発明の光ディスク記録媒体を回転させてレーザを照射し、その反射光を電気信号に変換することにより情報を取り出すことができる。
【００１５】
第２の光ディスク記録装置は、第１の光ディスク記録装置において、前記情報記録手段は情報を１画素単位で前記光ディスク記録媒体に書き込むことが可能なものである。
【００１６】
上記構成によれば、表示デバイスは１画素単位での書き換えが可能であるため、情報記録手段により特定のピット長のみを書き換えることができ、記録情報のビット単位での書き換えが可能となる。
【発明の効果】
【００１７】
本発明によれば、光ディスクを回転させずに情報を記録することができるため、光ディスクの回転速度の限界に依存せず、記録速度を高速化することができ、従来の光ディスクと互換性のある情報記録を行うことができるため、従来の光ディスク読み出し装置を使用して情報を取り出すことができ、さらに記録情報のビット単位での書き換えが可能となる。
【発明を実施するための最良の形態】
【００１８】
図２は本発明の一実施の形態に係る光ディスク記録媒体を用いた光ディスク記録装置の概念を説明する図である。図２において、２０１は記録型光ディスク、２０２はその記録層、２０３は表示デバイスによる画素表示、２０４は読み出し用レーザである。
【００１９】
記録型光ディスク２０１の記録層に充分に微細な解像度と薄さを持つ電気的に書き換え可能な表示デバイス２０２を用いることで、ピットによる反射光の光量変化を表示デバイスによる画素表示２０３で再現し、従来と同様の読み出し用レーザ２０４を用いてデータの読み取りを行う。
【００２０】
図３は本発明の一実施の形態に係る光ディスク記録媒体の構成を示す図である。図３において、３０１はポリカーボネート基盤、３０２は透明膜、３０３は表示デバイス、３０４は保護膜である。
【００２１】
本実施形態の光ディスク媒体は、従来の光ディスクと同様に０．６ミリメートルの基盤２枚を張り合わせたものとする。上側の基盤はポリカーボネート基盤３０１を用い、下側の基盤は透明膜３０２、記録層となる表示デバイス３０３、保護膜３０４を用いる。ポリカーボネート基盤３０１および透明膜３０２は従来の光ディスクと同じ素材を用いる。
【００２２】
ここで、表示デバイスとして、ＤＶＤの片面容量である４．７ＧＢ以上を構成するピットを十分表現できるように、１画素当たり０．１平方ミクロン以下で電気的に書き換え可能な電子ペーパーを用いる。
【００２３】
ＤＶＤのピット長は０．４ミクロン〜２．１３ミクロンであるため、表示デバイスの１画素の面積が０．１平方ミクロン以下のものを用いることで、従来のピット長を表現することができる。
【００２４】
また、表示デバイスの厚さに関しては、従来の光ディスクの記録層（反射層）と同様のものを用いる。
【００２５】
保護膜は、ディスクの記録面を書き換え装置と接触させ、電気的に書き換える方法を取るため、通電可能かつレーザの反射に悪影響を及ぼさない透明な素材を用いる。
【００２６】
図４は本発明の一実施の形態に係る光ディスク記録媒体を用いた光ディスク記録装置における情報の記録方法を説明する図である。図４において、４０６は本発明の光ディスク記録媒体による記録型光ディスク、４０７は表示デバイスを用いた記録層、４０５は書き込み装置、４０４は情報変換機、４０２は演算装置、４０１は入力インターフェース、４０３は記憶装置である。
【００２７】
記録型光ディスク４０６に情報を記録する際は、入力インターフェース４０１へ入力された情報を一旦記憶装置４０３に蓄えた後、情報変換機４０４を用いて、従来の光ディスクを読み出すためのピットによる反射光の光量変化を表示デバイスで表現できるような画素イメージに変換する。
【００２８】
画素イメージに変換された光ディスク全体の画素情報は、特許文献２や特許文献３に記載されているような電気的に複製可能な方法を用いた書き込み装置４０５により、光ディスク４０６の記録層４０７へコピーする。その際、従来の光ディスクのようにレーザによって螺旋的に記録する必要がないため、ディスクの回転制御は不要である。
【００２９】
この光ディスク記録媒体に記録されている情報を読み出す場合は、従来の光ディスク読み出し装置で光ディスク記録媒体を回転させてレーザを照射し、その反射光を電気信号に変換することにより情報を取り出すことができる。
【００３０】
本発明による光ディスク媒体では１画素単位での書き換えが可能であるため、特定のピット長のみを書き換えることができる。すなわち、記録情報のビット単位での書き換えが可能となる。
【００３１】
また、光ディスク記録媒体において１画素当たりの面積をさらに微細にし、従来の光ディスク読み出し装置で読み出し可能な範囲でトラックピッチを小さくすることにより、光ディスクの容量を増やすこともできる。
【産業上の利用可能性】
【００３２】
本発明の光ディスク記録媒体および記録装置は、光ディスクを回転させずに情報を記録することができるため、光ディスクの回転速度の限界に依存せず、記録速度を高速化することができ、従来の光ディスクと互換性のある情報記録を行うことができるため、従来の光ディスク読み出し装置を使用して情報を取り出すことができ、さらに記録情報のビット単位での書き換えが可能となるという効果を有し、光ディスクの回転速度の限界に依存せず、記録速度を高速化することができる光ディスク記録媒体および記録装置等として有用である。
【図面の簡単な説明】
【００３３】
【図１】従来の光ディスクにおける情報の記録方法を説明する図。
【図２】本発明の一実施の形態に係る光ディスク記録媒体を用いた光ディスク記録装置の概念を説明する図。
【図３】本発明の一実施の形態に係る光ディスク記録媒体の構成を示す図。
【図４】本発明の一実施の形態に係る光ディスク記録媒体を用いた光ディスク記録装置における情報の記録方法を説明する図。
【符号の説明】
【００３４】
１０１、２０１、４０６  光ディスク
１０２  記録面
１０３  ピット
１０４、２０４  読み出し用レーザ
２０２、３０３、４０７  記録層（表示デバイス）
２０３  画素表示
３０１  ポリカーボネート基盤
３０２  透明膜
４０１  入力インターフェース
４０２  演算装置
４０３  記憶装置
４０４  情報変換機
４０５  書き込み装置
【図１】
2006294147.tif 000003
【図２】
2006294147.tif 000004
【図３】
2006294147.tif 000005
【図４】
2006294147.tif 000006